(57)【要約】【課題】静電容量式タッチキーを備えた食器洗い機において、入力しようとするキーのみならず、周辺のキーと手との静電結合によって誤入力が起こることを防止し、タッチキー入力の信頼性が高く、操作性に優れた食器洗い機を実現する。【解決手段】扉１５または洗浄槽１の上面部２８に、「コース」キー４０等のキー部を一列に構成し、かつキー部の前方近傍に、キー部よりも高い張り出し部１８を設けることにより、操作者がキーを押すとき、張り出し部１８を乗り越えて押すように誘導して、複数のキーが操作者の手と静電結合する（ハンドシャドウ）可能性を低くして誤入力が起こることを防止することができる。【選択図】図１
2012115488.tif 000002
【特許請求の範囲】
【請求項１】
被洗浄物の洗浄、すすぎならびに乾燥を行う洗浄乾燥手段と、前記被洗浄物を収納する洗浄槽と、前記洗浄槽の前面に位置する扉とを備え、前記扉または前記洗浄槽の上面部に、前記洗浄乾燥手段への動作指示を静電容量を検知して行う、一列に並んだ電極部をカバーで覆った複数のキー部を有するキー入力手段を配設するとともに、前記キー入力手段の前方近傍に前記キー部よりも高くした操作者誘導用の張り出し部を配設した食器洗い機。
【請求項２】
前記張り出し部の上部の前記キー部に対向する部分の高さを周縁の張り出し部より低く構成した請求項１に記載の食器洗い機。
【請求項３】
前記キー入力手段の左右に前記キー部よりも高くした第２の張り出し部を設けた請求項１または２に記載の食器洗い機。
【請求項４】
前記第２の張り出し部を前記キー入力手段の前方近傍の前記張り出し部より高くした請求項３に記載の食器洗い機。
【請求項５】
互いに隣接する前記キー部の間に前記キー部よりも高い分割区切りを設置した請求項１〜４のいずれか一項に記載の食器洗い機。
【請求項６】
進入部を前記扉の前面と同じ面に有する前記キー部への進入穴を設置し、前記進入穴の上部を透明な覆いで覆った請求項１〜５のいずれか一項に記載の食器洗い機。
【請求項７】
前記覆いは前記進入穴の近傍を切り欠いた構成とした請求項６に記載の食器洗い機。
【請求項８】
前記覆いは取り外せる構成とした請求項６または７に記載の食器洗い機。
【発明の詳細な説明】
【技術分野】
【０００１】
本発明は洗浄槽内に収納した食器類を洗浄する食器洗い機のキー入力装置に関するものである。
【背景技術】
【０００２】
家庭用の食器洗い機では、食器類を収容した洗浄槽に給水源から水を供給し、洗浄槽の底に水を溜め、その水を洗浄ポンプにより吸引して洗浄ノズルへと圧送し、洗浄ノズルに設けた水噴射穴から食器類に水を噴射することによって食器類の洗い及びすすぎを行う構成となっている。またそれらの機能を有効にするためにキー入力装置がある。
【０００３】
キー入力の方式として、平面状にキーを配列したタッチキー入力は操作性の良さ、デザインの斬新さなどの特長から、機械的な接点を開閉する機械式スイッチ入力に代わって用いられることが多くなっている。タッチキーの中でも使用者の静電容量の変化を検知してキー入力を行う静電タッチスイッチはその中でも主流となっているが、静電容量を検知する方式特有の欠点も有している。それは、ハンドシャドウと呼ばれ、使用者が選択したいキーに指を近づけた時、自分の体の一部（特に手）が周辺のキー群と静電結合して別のキーを選んでしまうことである。あたかも手の影が別のキーを押すようなので、ハンドシャドウ（影絵）と呼んでいる。
【０００４】
前記ハンドシャドウの回避に関しては、図１４に示すように、キーの重要度に応じて重み付けを行い、押すキーを特定しようとするタッチセンサ式ユーザインターフェースがある（例えば、特許文献１参照）。
【０００５】
図１４においてキーパッド１００上に３列×４行で配置されたキー１０１を指１０３が押す。今「７」を押すべく指１０３が接近した時、「７」につながる静電容量測定チャンネル１０６は、「７」と接地１０４の静電容量結合を測定し、測定静電容量に対応する信号Ｃ７を制御装置１０５に送る。この時、「７」の周囲のキー「４」、「５」、「８」、「０」および「＊」につながる個々の静電容量測定チャンネル１０６からも対応する信号、Ｃ４、Ｃ５、Ｃ８、Ｃ１０およびＣ１１が制御装置１０５に送られる。これらの信号の強さ、キーの重要度からなされた重み付け係数などを勘案して制御装置１０５はキー１０１のうちいずれがユーザによって選択されたかを判定し、対応キー選択出力信号Ｏ／Ｐを出力するものである。
【先行技術文献】
【特許文献】
【０００６】
【特許文献１】特開２００７−３１７２０１号公報
【発明の概要】
【発明が解決しようとする課題】
【０００７】
しかしながら、ハンドシャドウをキーの重要度からなされた重み付けに応じて避ける前記技術に関しては、実施が困難な点もある。存在するキーは全て重要なキーであり、重要度によって勘案するとは言っても、重み付け自体難しく、また重み付けを行うために、制御機器のソフトウェアに大きな負担を掛ける可能性もあり、システム構成が困難になる可能性もあった。キー入力装置の信頼性の向上は、食器洗い機の機能を有効に利用する上で、重要な課題であった。
【０００８】
本発明は、以上のような従来の食器洗い機が有している課題を解決するものであり、食
器洗い機の静電容量式のタッチキーの入力の確実性を確保し、操作性に優れた食器洗い機を提供することを目的とするものである。
【課題を解決するための手段】
【０００９】
被洗浄物の洗浄、すすぎならびに乾燥を行う洗浄乾燥手段と、前記被洗浄物を収納する洗浄槽と、前記洗浄槽の前面に位置する扉とを備え、前記扉または前記洗浄槽の上面部に、前記洗浄乾燥手段への動作指示を静電容量を検知して行う、一列に並んだ電極部をカバーで覆った複数のキー部を有するキー入力手段を配設するとともに、前記キー入力手段の前方近傍に前記キー部よりも高くした操作者誘導用の張り出し部を配設したものである。
【００１０】
この構成によって、操作者の指は、張り出し部を前方至近距離から乗り越え、キーを押そうとするので、押されるキーは特定され、ハンドシャドウの発生する確率は小さくなり、キー操作の確実性は大いに向上する。
【発明の効果】
【００１１】
本発明の食器洗い機は、キー入力手段の前方近傍に操作者誘導用の張り出し部を設けたことにより、使用者が特に意識しなくても、指が押そうとするキーに自然に誘導されるようになり、タッチキーの入力の確実性を確保し、操作性に優れた食器洗い機を実現することができる。
【図面の簡単な説明】
【００１２】
【図１】本発明の実施の形態１における食器洗い機の模式図
【図２】本発明の実施の形態１における食器洗い機の側断面図
【図３】本発明の実施の形態１における食器洗い機のタッチキー入力部の構成を示す模式図
【図４】本発明の実施の形態１における食器洗い機の信号入力ならびに表示部回路図
【図５】本発明の実施の形態１における食器洗い機の入力表示部信号のタイミングチャート
【図６】本発明の実施の形態１における食器洗い機のタッチＩＣ内部信号のタイムチャート
【図７】本発明の実施の形態２における食器洗い機の張り出し部の外観図
【図８】本発明の実施の形態３における食器洗い機の張り出し部の外観図
【図９】本発明の実施の形態４における食器洗い機の張り出し部の外観図
【図１０】本発明の実施の形態５における食器洗い機の張り出し部の外観図
【図１１】本発明の実施の形態６における食器洗い機の張り出し部の外観図
【図１２】本発明の実施の形態７における食器洗い機の張り出し部の外観図
【図１３】本発明の実施の形態６における食器洗い機の樹脂板製覆いの外観図
【図１４】従来のタッチキーインターフェースの構成図
【発明を実施するための形態】
【００１３】
第１の発明は、被洗浄物の洗浄、すすぎならびに乾燥を行う洗浄乾燥手段と、前記被洗浄物を収納する洗浄槽と、前記洗浄槽の前面に位置する扉とを備え、前記扉または前記洗浄槽の上面部に、前記洗浄乾燥手段への動作指示を静電容量を検知して行う、一列に並んだ電極部をカバーで覆った複数のキー部を有するキー入力手段を配設するとともに、前記キー入力手段の前方近傍に前記キー部よりも高くした操作者誘導用の張り出し部を配設したものである。これにより、張り出し部の存在によって操作者に押そうとするキーを意識させ、ハンドシャドウの発生する確率を低くし、キー操作の確実性向上を図ることができる。
【００１４】
第２の発明は、特に第１の発明において、前記張り出し部の上部の前記キー部に対向す
る部分の高さを周縁の張り出し部より低く構成したものであり、指を周縁より低い場所に導くことにより、その場所に近接するキーへと指を導き、キー操作の確実性向上を図ることができる。
【００１５】
第３の発明は、特に第１または第２の発明において、前記キー入力手段の左右に前記キー部よりも高くした第２の張り出し部を設けたものであり、扉の側面よりの接近を心理的により忌避させるので、正面からキーへと指を導き、キー操作の確実性向上を図ることができる。
【００１６】
第４の発明は、第３の発明において、前記第２の張り出し部を前記キー入力手段の前方近傍の前記張り出し部より高くしたものであり、一層扉の側面よりの接近を心理的により忌避させるので、正面からキーへと指を導き、キー操作の確実性向上を図ることができる。
【００１７】
第５の発明は、特に第１〜第４の発明のいずれか１つの発明において、互いに隣接する前記キー部の間に前記キー部よりも高い分割区切りを設置したものであって、キーへの指の誘導をより確実に行うことができ、キー操作の確実性向上を図ることができる。
【００１８】
第６の発明は、特に第１〜第５の発明のいずれか１つの発明において、進入部を前記扉の前面と同じ面に有する前記キー部への進入穴を設置し、前記進入穴の上部を透明な覆いで覆ったものであり、指のキーへの誘導をより確実に行うことができ、キー操作の確実性向上を図ることができるとともに、キー入力手段が汚染されることが少なく、長期にわたって安定したタッチ認識性を確保でき、清潔な食器洗い機を実現できる。
【００１９】
第７の発明は、特に第６の発明において、前記覆いは前記進入穴の近傍を切り欠いた構成としたことで、指のキーへの誘導をより確実に行うことができ、なお一層キー操作の確実性向上を図ることができる。
【００２０】
第８の発明は、特に第６または第７の発明において、前記覆いは取り外せる構成としたもので、汚れを洗い流すことができ、長期にわたって安定したタッチ認識性を確保できるとともに、清潔な食器洗い機を実現できる。
【００２１】
以下、本発明の実施の形態について、図面を参照しながら説明する。なお、この実施の形態によって本発明が限定されるものではない。
【００２２】
（実施の形態１）
以下に本発明の実施の形態１における食器洗い機の構成を説明する。図１は本発明の実施の形態１における食器洗い機の模式図、図２は同食器洗い機の側断面図である。
【００２３】
図１、図２において、洗浄槽１には食器かご２が収納され、食器かご２には食器類３（被洗浄物）が収納されている。洗浄槽１の下部には洗浄手段を構成する洗浄ノズル４が洗浄ポンプ５と連通して設置されている。洗浄槽１の底には残菜をろ過する残菜フィルター６が設置され、循環経路７、洗浄ポンプ５、循環経路８、洗浄ノズル４から再び洗浄槽１に連なる洗浄水の流路が形成されている。また、給水口９は給水ホース１０と給水弁１１を介して洗浄槽１に連なっている。
【００２４】
一方、洗浄ポンプ５の吐出口１２は排水ホース１３を介して機外に連通している。洗浄ポンプ５が洗浄時と逆方向に駆動されると洗浄ポンプ５は排水口を通して吸い込んだ水が排水ホース１３を通じて機外へと排水される。洗浄槽１の底部の洗浄ノズル４の下方には加熱手段としてのヒータ１４が配設されている。なお、洗浄ノズル４、洗浄ポンプ５、給
水弁１１、ヒータ１４等を総称して洗浄乾燥手段と呼ぶ。
【００２５】
洗浄槽１の前面部には扉１５を形成して、位置させており、扉１５内の空間には、洗浄乾燥手段を制御して食器洗いの工程を実行する制御手段１６が設置されている。また、洗浄槽１は前方に引くことによって、上方に設けた開口部から食器類３を入れる洗浄槽１が現れる構成となっている。
【００２６】
扉１５の上面部２８の洗浄槽１に近い側には、「コース」キー４０、「乾燥」キー４１、「予約」キー４２等の複数のキー部を有するタッチキー入力部１７（キー入力手段）が設置され、タッチキー入力部１７の手前に近接させて、操作者の指２６をタッチキー入力部１７へ誘導する張り出し部１８が設置されている。張り出し部１８の手前の位置の扉１５前面には、電源を入切するためのキーである「電源  入／切」キー１９および、食器洗い機の洗浄すすぎ動作、乾燥動作などの開始や、一時停止を指示する「一時停止／スタート」キー２０が設置されている。この「電源  入／切」キー１９と「一時停止／スタート」キー２０は体の近接、接触などによる誤入力を避けるためにメカニカルスイッチで構成されている。
【００２７】
図３は本発明の実施の形態１におけるタッチキー入力部１７の構成を示す模式図である。タッチキー入力部１７は、図３に示すように、ほぼ横方向に一列に並んだ「コース」電極２１、「乾燥」電極２２、「予約」電極２３の丸型電極部や電子部品を搭載したプリント基板２４と、プリント基板２４の上方に設けられ、「コース」電極２１、「乾燥」電極２２、「予約」電極２３の上を覆う厚さ３ｍｍ程度のアクリル樹脂などで作られたカバーである樹脂板２５からなっている。樹脂板２５はプリント基板２４の表面に銅箔で作成された丸型電極部と密着するように設置され、樹脂板２５面に触れた操作者の指２６と上記丸型電極部間の静電結合によってキーの入力が検知される構成になっている。樹脂板２５とプリント基板２４はビス２７によって扉１５の上面部２８に共締めされている。
【００２８】
「コース」電極２１、「乾燥」電極２２、「予約」電極２３は、「コース」キー４０、「乾燥」キー４１、「予約」キー４２に、それぞれ対応している。
【００２９】
図４は本発明の実施の形態１における信号入力ならびに表示部回路図である。また、図５は本発明の実施の形態に１おける入力表示部信号のタイミングチャートであり、（ａ）は動的キー入力動作や表示動作の基準になるスキャン信号、（ｂ）はマイコン２９の入力信号、（ｃ）はマイコン２９の表示出力端子の信号の推移を示す。
【００３０】
制御手段１６の中のマイコン２９の出力端子Ｃ０〜Ｃ２からは、図５の（ａ）で示される繰り返し信号（スキャン信号という）が常時出力されている。
【００３１】
図４において、「コース」電極２１、「乾燥」電極２２、「予約」電極２３はそれぞれ電極部と指２６の間の静電容量からタッチを認識するタッチＩＣ３０の「コースｉｎ」端子、「乾燥ｉｎ」端子、「予約ｉｎ」端子につながっている。「コースｉｎ」端子の信号は、信号状態に応じて「コースｏｕｔ」端子に出力され、「乾燥ｉｎ」端子の信号は、信号状態に応じて「乾燥ｏｕｔ」端子に出力され、「予約ｉｎ」端子の信号は、信号状態に応じて「予約ｏｕｔ」端子に出力される構成となっている。またタッチＩＣ３０には信号処理の感度を設定する感度設定用のコンデンサ３１が接続されている。
【００３２】
「コースｏｕｔ」端子にはＰ型ＭＯＳＦＥＴトランジスタ（以下ＰＭＯＳトランジスタ）Ｑ１のゲート端子が、「乾燥ｏｕｔ」端子にはＰＭＯＳトランジスタＱ２のゲート端子が、が、「予約ｏｕｔ」端子にはＰＭＯＳトランジスタＱ３のゲート端子がつながっており、それぞれのＳ（ソース）とＤ（ドレイン）間の導通を制御する構成となっている。表
示用ＬＥＤ群３２はダイオード群３３を介してマイコン２９の出力端子Ｃ０〜Ｃ２から信号が供給され、表示出力端子Ｂ０〜Ｂ４の端子に接続されている。
【００３３】
また「電源  入／切」スイッチ３４は「電源  入／切」キー１９を押した時に動作するメカニカルスイッチ、「一時停止／スタート」スイッチ３５は「一時停止／スタート」キー２０を押した時に動作するメカニカルスイッチであり、タッチキー入力部１７のプリント基板２４とは別のプリント基板（図示せず）上に形成されている。
【００３４】
図５の（ａ）において出力端子Ｃ０がｈｉｇｈのタイミングで、（ｂ）の入力端子Ａ０がｈｉｇｈになり、コース入力があったことを示している。また（ａ）の出力端子Ｃ２がｈｉｇｈのタイミングで（ｃ）の表示出力端子Ｂ１がｌｏｗになることで順方向に電圧が印加され、図４の「乾燥６０分表示ＬＥＤ」３６が点灯し、（ａ）の出力端子Ｃ０がｈｉｇｈのタイミングで（ｃ）の表示出力端子Ｂ２がｌｏｗになることで順方向に電圧が印加され、図４の「高温表示ＬＥＤ」３７が点灯する。
【００３５】
図６は本発明の実施の形態１におけるタッチＩＣ３０の内部信号のタイムチャートである。タッチＩＣ３０は内部で静電結合の度合いをタッチカウントレベル３８に変換する。また、ベースラインレベル３９は、タッチカウントレベル３８に一定の時間遅れで追随する信号であり、タッチカウントレベル３８とベースラインレベル３９の差が一定値（スレッショルド）を越えた時、タッチＩＣ３０の出力端子にｌｏｗの信号レベルが出力される。
【００３６】
図６では指２６が「コース」を選択しようとする時の信号レベルの変化を図示している。まず、指２６が「コース」電極２１に近づいた時（タッチ区間１）、ベースラインレベル３９はＭａｘに向けて増加する。ベースラインレベル３９も追随するが、タッチカウントレベル３８の増加のスピードはベースラインレベル３９の増加スピードより大きいので、タッチカウントレベル３８とベースラインレベル３９の差が所定値（ＯＮスレッショルド）Ｔｈ１を越え、コースｏｕｔ出力端子にｌｏｗが出力される。このｌｏｗ信号が、ＰＭＯＳトランジスタＱ１を導通させ、出力端子Ｃ０のｈｉｇｈ信号がマイコン２９の入力端子Ａ０に入り、「コース」キー４０がタッチされたと認識される。
【００３７】
ここで指２６が離れると、タッチカウントレベル３８が下がり、ベースラインレベル３９の差が所定値（ＯＦＦスレッショルド）Ｔｈ２よりも小さくなった時に、コースｏｕｔ出力にｈｉｇｈが出力され、ＰＭＯＳトランジスタＱ１の導通を停止させ、出力端子Ｃ０のｈｉｇｈ信号がマイコン２９の入力端子信Ａ０に入らなくなってタッチが解消したと認識される。
【００３８】
再度指２６が「コース」電極２１に近づいた時（タッチ区間２）、ベースラインレベル３９はＭａｘに向けて増加する。ベースラインレベル３９も追随するが、タッチカウントレベル３８の増加のスピードはベースラインレベル３９の増加スピードより大きいので、タッチカウントレベル３８とベースラインレベル３９の差が所定値（ＯＮスレッショルド）Ｔｈ１を越え、コースｏｕｔ出力にｌｏｗが出力される。このｌｏｗ信号が、ＰＭＯＳトランジスタＱ１を導通させ、出力端子Ｃ０のｈｉｇｈ信号がマイコン２９の入力端子Ａ０に入り、「コース」キー４０（図１）がタッチされたと認識される。
【００３９】
ここで指２６を近づけたままにしておいた場合、タッチカウントレベル３８は一定値のままであるが、ベースラインレベル３９が追随してきて差が所定値（ＯＦＦスレッショルド）Ｔｈ２よりも小さくなり、コースｏｕｔ出力にｈｉｇｈが出力され、ＰＭＯＳトランジスタＱ１の導通を停止させ、出力端子Ｃ０のｈｉｇｈ信号がマイコン２９の入力端子Ａ０に入らなくなってタッチが解消される。すなわち指２６を近づけたままにしていてもマ
イコン２９はタッチを認識しない。つまり押し続け（長押し）は認識しないように構成されている。
【００４０】
「コース」キー４０は、食器洗い機の基本動作である「洗浄」、「すすぎ」、「乾燥」の一連の工程をあらかじめ設定した幾通りかの実行方法を選ぶキーであり、選んだ「コース」は表示用ＬＥＤ群３２の対応するＬＥＤが表示を行う。「乾燥」キー４１は「乾燥」時間の選択を行うキーであり、選択した乾燥時間は表示用ＬＥＤ群３２の対応するＬＥＤが表示を行う。「予約」キー４２は「予約」時刻（１時間後の動作開始、予約せずすぐスタートなど）を選択するキーであり、選択した予約時間は表示用ＬＥＤ群３２の対応するＬＥＤが表示を行う。
【００４１】
「乾燥」キー４１、「予約」キー４２にタッチした時もタッチＩＣ３０は「コース」キー４０のときと同様の動作を行い、対応する出力端子、乾燥ｏｕｔ出力端子、予約ｏｕｔ出力端子に信号の出力を行う。
【００４２】
以上述べてきた構成のうち、特に本発明を特徴付ける構成は、タッチキー入力部１７（キー入力手段）の前方近傍に前記キー部よりも高くした操作者誘導用の張り出し部１８が設置されていることである。張り出し部１８がなく、キーが単に平面に並んでいるだけなら、操作者は無意識に、キーに近づこうとするが、このような張り出し部１８で高低差を付けることによって、心理的には、張り出し部１８はキーへ近づくのを邪魔する障害物と意識され、操作者は意識してキーの場所を見極めようとする。その結果、最短経路で張り出し部１８を乗り越えてキーへ到達しようとする行動につながる。このようにして押そうとするキーへ操作者の指２６を最短経路で到達すべく導くことで、複数のキーを誤って選択してしまうハンドシャドウの可能性を低減することが可能となる。
【００４３】
（実施の形態２）
図７は本発明の実施の形態２における食器洗い機の張り出し部の外観図である。実施の形態１との違いは、張り出し部１８の上面に、指２６を「コース」キー４０、「乾燥」キー４１、「予約」キー４２への接近の目安となる切り欠き部４３を設置して、張り出し部１８の上部の各キー４０、４１、４２に対向する部分の高さを周縁の張り出し部１８より低く構成したことである。他の構成は実施の形態１と同じであり、詳細な説明は省略する。
【００４４】
この切り欠き部４３は張り出し部１８上面の溝であり、張り出し部１８前面から連続するように設けてあり、特に強制的に指２６を各キーへと導く機能は有しないものの、指２６に沿う切り欠き形状は進入方向４４で示すように心理的に指２６を最短距離で「コース」キー４０、「乾燥」キー４１、「予約」キー４２へ導き、ハンドシャドウの可能性をより低減することが可能である。
【００４５】
（実施の形態３）
図８は本発明の実施の形態３における食器洗い機の張り出し部の外観図である。図７に示した実施の形態２との違いは、張り出し部１８の左右端からタッチキー入力部１７の左右に延出させて、タッチキー入力部１７よりも高い第２の張り出し部４５を設けた点にある。張り出し部１８と左右の第２の張り出し部４５とで平面視コの字状に形成されている。他の構成は実施の形態２と同じであり、詳細な説明は省略する。
【００４６】
左右の第２の張り出し部４５をつけることによって、指２６の側面からの進入可能性が低減され、タッチキー入力部１７への進入方向４４が規制され、ハンドシャドウの影響をより低減することが可能となる。
【００４７】
（実施の形態４）
図９は本発明の実施の形態４における食器洗い機の張り出し部の外観図である。図８に示した実施の形態３との違いは、張り出し部１８の左右に設けた第２の張り出し部４５の高さを前面の張り出し部１８よりも高くした点にある。他の構成は実施の形態３と同じであり、詳細な説明は省略する。
【００４８】
タッチキー入力部１７の左右の第２の張り出し部４５を前面の張り出し部１８より高くすることによって、より一層タッチキー入力部１７への指２６の進入方向４４が規制され、第２の張り出し部４５よりも低い、前面の張り出し部１８を越えてタッチキー入力部１７へ進入することになり、ハンドシャドウの影響をさらに低減することが可能となる。
【００４９】
（実施の形態５）
図１０は本発明の実施の形態５における食器洗い機の張り出し部の外観図である。図７に示した実施の形態２の構成に加えて、「コース」キー４０と「乾燥」キー４１との間、および「乾燥」キー４１と「予約」キー４２との間に、タッチキー入力部１７よりも高さがある分割区切り４６が設置され、個々のキー同士を分離している。他の構成は実施の形態２と同じであり、詳細な説明は省略する。
【００５０】
分割区切り４６によって、個々のキーの独立性と進入方向４４がより明確になり、ハンドシャドウの影響を低減することが可能となる。
【００５１】
なお、本実施の形態では分割区切り４６に加えて張り出し部１８の上面に切り欠き部４３を設けて相乗効果が得られるように構成してあるが、分割区切り４６のみでもハンドシャドウの影響の低減効果は得られる。
【００５２】
（実施の形態６）
図１１は本発明の実施の形態６における食器洗い機の張り出し部の外観図である。本実施の形態では、図７に示した実施の形態２の構成に加えて、タッチキー入力部１７および張り出し部１８上面は透明な樹脂板製の覆い４７で覆われている。すなわち、指２６の進入部を扉１５の前面と同じ面に有する、各キー４０、４１および４２への進入穴５０を設置し、進入穴５０の上部を透明な覆い４７で覆った構成としている。他の構成は実施の形態２と同じであり、詳細な説明は省略する。
【００５３】
タッチキー入力部１７を透明な樹脂板製の覆い４７で覆う構成によって、「コース」キー４０、「乾燥」キー４１、「予約」キー４２への指２６の進入は張り出し部１８の切り欠き部４３と覆い４７とで形成されるそれぞれの進入穴５０前方からの進入方向４４に制限され、操作者の指２６の届く範囲が制限されることから、ハンドシャドウの起こる可能性は大いに低減される。また、タッチキー入力部１７が覆い４７で覆われているため、タッチキー入力部１７が汚染されることが少なく、長期にわたって安定したタッチ認識性を確保できるとともに、清潔な食器洗い機を実現できる。
【００５４】
（実施の形態７）
図１２は本発明の実施の形態７における食器洗い機の張り出し部の外観図である。図１１に示した実施の形態６との違いは、透明な樹脂性の覆い４７の進入穴５０の上面にあたる部分に覆い４７の切り欠き４８を設けたものであり、透明な覆い４７に切り欠き４８を設けることによって透明でキーの部分も確認しやすく、指２６の進入もよりしやすくなり、ハンドシャドウの可能性も低減している。
【００５５】
図１３は本発明の実施の形態６における食器洗い機の樹脂板製の覆いの外観図である。図１３に示すように、樹脂板製の覆い４７は、その後部に下方に延出させて複数設けたつ
め４９で上面部２８等の本体の一部に引っ掛けてあり、取り外しができる構成にしてある。透明な覆い４７は取り外しができる構成にしたことから、汚れた場合に取り外して洗浄することができ、長期にわたって安定したタッチ認識性を確保できるとともに、清潔な食器洗い機を実現できる。なお、取り外して使用したら汚染防止の意味をなさないので、取り外された時には、マイクロスイッチや磁気センサーなどで感知し、キー入力ができないようにされていることは言うまでもない。上述した覆い４７につめ４９を設ける構成は、実施の形態７の食器洗い機に対しても適用できる。
【００５６】
なお、タッチキー入力部１７を設けた上面部２８は、本実施の形態では扉１５の一部として構成したが、洗浄槽１の一部として構成してもよいし、扉１５および洗浄槽１とは別体として構成してもよい。
【００５７】
以上のように、本発明は、キー入力手段の前方近傍に操作者誘導用の張り出し部を設け、操作者をキー部へ導くことにより、誤操作の少ないタッチキー入力部をもった食器洗い機を実現することができる。
【産業上の利用可能性】
【００５８】
このように、本発明によると、ハンドシャドウの発生する確率は小さくなり、キー操作の確実性を向上させることができるので、家庭用の食器洗い機のみならず、産業用の食器洗浄システムなどにも利用することが可能となる。
【符号の説明】
【００５９】
１  洗浄槽
２  食器かご
３  食器類（被洗浄物）
４  洗浄ノズル
５  洗浄ポンプ
６  残菜フィルター
７、８  循環経路
９  給水口
１０  給水ホース
１１  給水弁
１２  吐出口
１３  排水ホース
１４  ヒータ
１５  扉
１６  制御手段
１７  タッチキー入力部（キー入力手段）
１８  張り出し部
１９  「電源  入／切」キー
２０  「一時停止／スタート」キー
２１  「コース」電極
２２  「乾燥」電極
２３  「予約」電極
２４  プリント基板
２５  樹脂板（カバー）
２６  指
２８  上面部
２９  マイコン
３０  タッチＩＣ
３１  コンデンサ
３２  表示用ＬＥＤ群
３３  ダイオード群
３４  「電源  入／切」スイッチ
３５  「一時停止／スタート」スイッチ
３６  「乾燥６０分表示ＬＥＤ」
３７  「高温表示ＬＥＤ」
３８  タッチカウントレベル
３９  ベースラインレベル
４０  「コース」キー
４１  「乾燥」キー
４２  「予約」キー
４３  切り欠き部
４４  進入方向
４５  第２の張り出し部
４６  分割区切り
４７  覆い
４８  切り欠き
４９  つめ
５０  進入穴
【図１】
2012115488.tif 000003
【図２】
2012115488.tif 000004
【図３】
2012115488.tif 000005
【図４】
2012115488.tif 000006
【図５】
2012115488.tif 000007
【図６】
2012115488.tif 000008
【図７】
2012115488.tif 000009
【図８】
2012115488.tif 000010
【図９】
2012115488.tif 000011
【図１０】
2012115488.tif 000012
【図１１】
2012115488.tif 000013
【図１２】
2012115488.tif 000014
【図１３】
2012115488.tif 000015
【図１４】
2012115488.tif 000016